(57)【特許請求の範囲】
【請求項１】
壁等に設けられたコンセントに差し込み可能なプラグ、前記プラグに接続された配線コード、及び前記配線コードに接続された複数のコンセントを有するテーブルタップ部と、
一方の端部にプラグが備えられ他方の端部にソケット部（プラグを差し込み可能な部分）が備えられている複数の延長コード部であって、前記各プラグが前記テーブルタップ中の各コンセント部にそれぞれ差し込まれている複数の延長コード部と、
前記テーブルタップ部が載置されるテーブルタップ載置部と前記テーブルタップ載置部の上方に配置され前記複数の延長コード部の各ソケット部（プラグを差し込み可能な部分）を支持する支持部とを備えた支持ケースと、
前記テーブルタップ部、前記各延長コード部、及び前記支持ケースを収容する筐体であって、前記テーブルタップ部の配線コードが挿通される孔、及び前記複数の延長コード部のソケット部（プラグを差し込み可能な部分）に差し込まれる電気器具の配線が挿通される孔を備えた筐体とを備えた電気配線整理用具であって、
前記支持ケースの支持部は、前記各延長コード部の各ソケット部（プラグを差し込み可能な部分）を、それらが略一列に並ぶように、それらが前記一列の方向に移動可能であるように、且つそれらが各ソケット部（プラグを差し込み可能な部分）の差し込み方向を軸方向として回動可能であるように、支持するものである電気配線整理用具。
【発明の詳細な説明】
【技術分野】
【０００１】
本発明は、特に複数のＡＣアダプタ（ＡＣ−ＤＣアダプタ）を取り付けるのに適した電気配線整理用具に関する。
【背景技術】
【０００２】
従来より、壁等に設置されたコンセントから離れた場所にある複数の電気機器（例えばパソコン、プリンタ、スキャナなど）に電源を供給するための電気器具として、図１５に示すようなテーブルタップ１２が利用されている。
【先行技術文献】
【特許文献】
【０００３】
【特許文献１】特開２００６−３１０２８４号公報
【発明の概要】
【発明が解決しようとする課題】
【０００４】
しかしながら、一般にＡＣアダプタは幅広のものが多いため、図１５に示すように、ＡＣアダプタ１１ａ，１１ｂをテーブルタップ１２の各コンセントに差し込むと隣のコンセントの領域にまでＡＣアダプタ１１ａ，１１ｂの一部が張り出してしまい、その結果、特に複数のＡＣアダプタ１１ａ，１１ｂを１つのテーブルタップ１２の各コンセントに差し込む場合、テーブルタップ１２中の互いに隣り合うように設けられた複数の各コンセントの多くが使えなくなってしまうという問題があった。
【０００５】
他方、このような問題を解決するために１つのテーブルタップ中の各コンセントの位置をスライド可能にしたり各コンセントの向きを変更できるようにしたテーブルタップも提案されている（例えば本発明者による出願に係る特許文献１参照）。しかし、そのような従来からの提案に係るテーブルタップは、構造が複雑なため価格が高額化してしまうという問題があった。
【０００６】
本発明はこのような従来技術の問題点に着目して為されたものであって、複数のＡＣアダプタを１つのテーブルタップのコンセントに差し込む場合でもテーブルタップ中の互いに隣り合うように設けられた複数の各コンセントの多くが使えなくなってしまうことがなく且つ構造が比較的単純で低いコストで製造することができる新規な電気配線整理用具を提供することを目的とするものである。
【課題を解決するための手段】
【０００７】
以上のような課題を解決するための本発明による電気配線整理用具は、壁等に設けられたコンセントに差し込み可能なプラグ、前記プラグに接続された配線コード、及び前記配線コードに接続された複数のコンセントを有するテーブルタップ部と、一方の端部にプラグが備えられ他方の端部にソケットが備えられている複数の延長コード部であって、それぞれの各プラグが前記テーブルタップ中の各コンセントにそれぞれ差し込まれる複数の延長コード部と、前記テーブルタップ部が載置されるテーブルタップ載置台と前記テーブルタップ載置部の上方に配置され自らの上に前記複数の延長コード部の各ソケットを支持する支持台とを備えた支持ケース部と、を備えた電気配線整理用具であって、前記支持ケース部の支持台は、前記各延長コード部の各ソケットを、それらが略一列に並ぶように、それらが前記一列の方向に移動可能であるように、且つそれらが各ソケットの差し込み方向を軸方向として回動可能であるように、支持するものである。
【０００８】
また、本発明による電気配線整理用具においては、前記支持ケース部は、前記支持台上に配置された前記複数の延長コード部の各ソケットを、それらの上方から抑える抑え板を備えていてもよい。
【０００９】
また、本発明による電気配線整理用具においては、前記支持ケース部の支持台は、前記複数の延長コード部の各ソケットを、それぞれ、各ソケットの差し込み方向と平行な方向に移動可能に支持するものであってもよい。
【００１０】
また、本発明による電気配線整理用具においては、前記支持ケース部の支持台の背面側に、前記複数の延長コード部の各コードを係止する係止部を備えるものであってもよい。
【００１１】
また、本発明による電気配線整理用具は、壁等に設けられたコンセントに差し込み可能なプラグ、前記プラグに接続された配線コード、及び前記配線コードに接続された複数のコンセントを有するテーブルタップ部と、一方の端部にプラグが備えられ他方の端部にソケット部（プラグを差し込み可能な部分）が備えられている複数の延長コード部であって、前記各プラグが前記テーブルタップ中の各コンセント部にそれぞれ差し込まれている複数の延長コード部と、前記テーブルタップ部が載置されるテーブルタップ載置部と前記テーブルタップ載置部の上方に配置され前記複数の延長コード部の各ソケット部（プラグを差し込み可能な部分）を支持する支持部とを備えた支持ケースと、前記テーブルタップ部、前記各延長コード部、及び前記支持ケースを収容する筐体であって、前記テーブルタップ部の配線コードが挿通される孔、及び前記複数の延長コード部のソケット部（プラグを差し込み可能な部分）に差し込まれる電気器具の配線が挿通される孔を備えた筐体とを備えた電気配線整理用具であって、前記支持ケースの支持部は、前記各延長コード部の各ソケット部（プラグを差し込み可能な部分）を、それらが略一列に並ぶように、それらが前記一列の方向に移動可能であるように、且つそれらが各ソケット部（プラグを差し込み可能な部分）の差し込み方向を軸方向として回動可能であるように、支持するものである。
【発明の効果】
【００１２】
以上のように、本発明においては、テーブルタップ部の各コンセントに複数の延長コード部の各プラグが差し込まれ、前記複数の延長コード部の各ソケットを、前記各延長コード部の各ソケットが略一列（横一列）に並ぶように、前記各延長コード部の各ソケットが前記一列の方向に移動可能であるように、且つ前記各延長コード部の各ソケットが各ソケットの差し込み方向と平行な方向を軸方向として回動可能であるように、前記支持ケース部により支持するようにしている。したがって、本発明では、前記支持ケース部に支持された前記複数の延長コード部の各ソケットを、それぞれ、一列方向（横方向）にスライドさせたり、差込方向を軸方向として回動（各ソケットの向きを縦又は横などに変更）させたりすることが容易にできるようになる。よって、本発明によるときは、複数の幅広のＡＣアダプタを前記複数の延長コード部の各ソケットに差し込む場合でも、前記各ＡＣアダプタの形状に合わせて、前記複数の延長コード部の各ソケットを前述のようにスライドさせたり回動させたりすることができる。よって、本発明によれば、「複数のＡＣアダプタを１つのテーブルタップに差し込む場合にはテーブルタップ中に互いに隣り合うように設けられた複数の各コンセントの多くが使えなくなってしまう、という従来技術の不都合」を、有効に回避することができる。
【００１３】
また、本発明は、市販のテープタップによって構成可能なテーブルタップ部と、市販の延長コードによって構成可能な複数の延長コード部と、前記載置部及び支持台などの簡単な構造を有する支持ケース部という単純な構造により構成されているので、電気配線整理用具の全体を、簡単な構成として極めて低コストに製造することができる。
【００１４】
また、本発明において、前記支持ケース部に、前記支持台上に配置された前記各ソケットをそれらの上方から抑える抑え板を備えるようにしたときは、前記各ソケットを、それらが上方向にバラバラに位置してしまうことを防止し、それらが前記略一列方向に整然と並ぶように配置させることができる。
【００１５】
また、本発明において、前記支持ケース部の支持台を、前記複数の延長コード部の各ソケットがそれぞれ各ソケットの差し込み方向と平行な方向に移動可能に支持するように構成したときは、前記各ソケットに差し込む各ＡＣアダプタの形状などに応じて前記各ソケットの移動（スライド）及び回動を行うための動作を、よりスムーズに行うことができる。
【００１６】
また、本発明において、前記支持ケース部の支持台の背面側に、前記複数の延長コード部の各コードを係止する係止部を備えるようにしたときは、前記延長コード部の各コードがバラバラに配置されることを防止し、前記各コードを整然と配置することができる。
【００１７】
さらに、本発明において、前記テーブルタップ部、前記各延長コード部、及び前記支持ケース部を１つの筐体内に収容するようにしたときは、前記複数の延長コード部及びテーブルタップ部などを前記筐体の中に集めて外部から遮断することができるので、前記複数の延長コード部及びテーブルタップ部に埃が溜まったり電気配線が絡み合って室内の外観を害してしまうことを防止することができる。
【図面の簡単な説明】
【００１８】
【図１】本発明の一実施形態に係る電気配線整理用具の全体構成を説明するための斜視図である。
【図２】本実施形態を構成する各部品を説明するための斜視図である。
【図３】本実施形態を構成する係止部を説明するための斜視図である。
【図４】本実施形態を構成する支持ケース部を前面側から示す斜視図である。
【図５】本実施形態を構成する支持ケース部を背面側から示す斜視図である。
【図６】本実施形態に係る電気配線整理用具の構成を説明するための斜視図である。
【図７】本実施形態に係る電気配線整理用具の構成を説明するための斜視図である。
【図８】本実施形態に係る電気配線整理用具の構成を説明するための斜視図である。
【図９】本実施形態に係る電気配線整理用具の構成を説明するための斜視図である。
【図１０】本実施形態の動作を説明するための斜視図である。
【図１１】本実施形態の動作を説明するための斜視図である。
【図１２】本実施形態１における外側ケースを示す斜視図である。
【図１３】本実施形態１に係る電気配線整理用具を外側ケース内に収容したときの内部を示す斜視図である。
【図１４】本実施形態１に係る電気配線整理用具を外側ケース内に収容したときの外観を示す斜視図である。
【図１５】従来のテーブルタップにおける、ＡＣアダプタを使用する場合の問題点を説明するための斜視図である。
【発明を実施するための形態】
【００１９】
以下、本発明の実施の形態を図面を用いて説明する。図１は、本発明の一実施形態に係る電気配線整理用具の全体構成を説明するための斜視図、図２〜５は本実施形態を構成する各部品を説明するための斜視図である。詳しくは後述するが、図１において、１はテーブルタップ部、２ｂは後述の延長コード部２に備えられたソケット、４ｂは後述の支持ケース部４に備えられた支持台、５は前記テーブルタップ部１に接続された補助テーブルタップ、６は外側ケースである。
【００２０】
次に、本実施形態を構成する各部品を説明する。図２は本実施形態を構成するテーブルタップ部１と延長コード部２を示している。図２において、１は市販のテーブルタップから成るテーブルタップ部、１ａはテーブルタップ部１に接続された配線コード、１ｂは前記配線コード１ａの端部に接続されたプラグ、２は市販の延長コードから成る延長コード部、２ａは延長コード部２の一方の端部に接続されたプラグ、２ｂは延長コード部２の他方の端部に接続されたソケット、３は市販の結束用具から成る係止部で前記延長コード部２を係止するための係止部である。
【００２１】
前記係止部３は、図３に示すように、プラスチック製の略筒状体で、図示右端部の開閉部を操作して略筒状体の図示右端部を開閉することにより、前記延長コード部２を前記略筒状体内に挿通し又は前記略筒状体内から取り出しできる構造になっている。なお本実施形態では、前記係止部３として、株式会社オーム電機（埼玉県吉川市旭３−８）製の電線支持用の結束具（商品名：ナイロンステッカー）を採用した。
【００２２】
次に、図４は本実施形態の支持ケース部４の前面側を示す斜視図、図５は本実施形態の支持ケース部４の背面側を示す斜視図である。図４，５において、４ａは支持ケース部４の本体、４ｂは前記本体４ａの上方に配置された支持台であって複数の延長コード部２の各ソケット２ｂを支持する支持台（図１も参照）、４ｃは前記支持台４ｂ上に載置され支持された各ソケット２ｂが挿通される開口部、４ｄは前記開口部４ｃの上方に配置された抑え板であって前記支持台４ｂ上に配置された各ソケット２ｂ（図１参照）が上方に移動してバラバラにならないように下方に抑えるための抑え板、４ｅは本体４ａの下端部に配置された前記テーブルタップ部１用の載置台であって前記テーブルタップ部１が配置できるスペースを上方に備えた平板状の載置台（図７，８も参照）である。前記支持ケース部４は、例えば、プラスチックで一体成形して作製することも、複数のプラスチック板を接着剤等で組み合わせ固定して作製することも、さらに他の方法で作製することも可能である。
【００２３】
次に、前述のようなテーブルタップ部１、延長コード部２、係止部３、及び支持ケース部４を使用して本実施形態を構成する方法について、図６〜９を参照して説明する。まず、予め、前記支持ケース部４の支持台４ｂの背面側に、前記係止部３を複数個（本実施形態では図６〜８に示すように５個）、両面テープなどで取り付けておく。次に、テーブルタップ部１を前記支持ケース部４のテーブルタップ部載置部上に接着剤等で取り付ける。
【００２４】
次に、予め、テーブルタップ部１に設けられた複数のコンセントにそれぞれ差し込むプラグを有する延長コード部２（本実施形態では図２に示すように５個の延長コード部２）を用意しておく。そして、各延長コード部２の各プラグ２ａを、テーブルタップ部１の各コンセントに差し込み、そのプラグ２ａと接続された延長コード部２を、図６に示すように、例えば手でクルッと回転させて、その延長コード部２中の先端のソケット２ｂを前記支持ケース部４の支持台４ｂ上に（支持台４ｂの背面側から挿入して）載置する。その際、各延長コード部２のコード部分は前記支持ケース部４の支持台４ｂの背面側の係止部３の筒状部中に挿入して係止させる（図６〜８参照）。
【００２５】
以上の動作を、前記の予め用意した各延長コード部２の５個について順次行うことにより、図６〜９に示すような、複数の延長コード部２のプラグ２ａがテーブルタップ部１中の各コンセントに差し込まれ、前記各延長コード部２の各コード部分が前記支持ケース部４の支持台４ｂの背面側の各係止部３に整然と係止され、前記各延長コード部２のソケット２ｂが前記支持ケース部４の支持台４ｂ上の開口部４ｃにその背面側（図６〜８参照）から前方側（図９参照）に向けて図示水平方向に一列に配置されている状態が作出される。
【００２６】
次に、このようにして構成された前記「複数の延長コード部２のプラグ２ａがテーブルタップ部１中の各コンセントに差し込まれ、前記各延長コード部２の各コードが前記支持ケース部４の支持台４ｂの背面側の各係止部３に整然と係止され、前記各延長コード部２のソケット２ｂが前記支持ケース部４の支持台４ｂ上の開口部４ｃ中にその背面側（図６〜８参照）から前方側（図９参照）に向けて図示水平方向に一列に配置されている電気配線整理用具」の動作を説明する。
【００２７】
本実施形態では、前記支持ケース部４の支持台４ｂ上に載置された前記各延長コード部２の各ソケット２ｂは、図１０，１１に示すように、図示の手前方向（前記各ソケット２ｂにプラグを差し込む方向と平行な方向）に移動自在（前記開口部４ｃに対して前後方向に出し入れ自在）に構成されている。
【００２８】
また、前記支持ケース部４の支持台４ｂ上に載置された前記各延長コード部２の各ソケット２ｂは、図１０と図１１とを比較して分かるように、図示左右方向に（各ソケット２ｂが一列に並んでいる方向）に移動（スライド）自在に構成されている。
【００２９】
さらに、前記支持ケース部４の支持台４ｂ上に載置された前記各延長コード部２の各ソケット２ｂは、図１０と図１１とを比較して分かるように、前記ソケット２ｂにプラグを差し込む方向を軸方向として回動自在（向きを縦又は横などに変更可能）に構成されている。
【００３０】
よって、本実施形態では、図１１に示すように、複数のＡＣアダプタ１１を各ソケット２ｂに差し込む必要がある場合でも、前記各ソケット２ｂを前記支持台４ｂ上で、適宜、ユーザーが図示左右方向にスライドさせたり回動させたりすることにより、「複数のＡＣアダプタ１１同士が、互いに接触、干渉し、テーブルタップ中の複数のコンセントの幾つかが使用できなくなる」という従来技術における不都合を、有効に回避することができる。また、前記の各ソケット２ｂのスライドや回動の際には、図１０に示すように、前記各ソケット２ｂを前記支持台４ｂから図示手前方向に引き出す（移動させる）ようにすれば、よりスムーズに前記スライドや回動の動作ができるようになる。
【００３１】
次に、図１２において、６はプラスチック製の外側ケース本体、６ａはその上方を覆う蓋部である。本実施形態では、前記「複数の延長コード部２のプラグ２ａがテーブルタップ部１中の各コンセントに差し込まれ、前記各延長コード部２の各コードが前記支持ケース部４の支持台４ｂの背面側の各係止部３に整然と係止され、前記各延長コード部２のソケット２ｂが前記支持ケース部４の支持台４ｂ上の開口部４ｃにその背面側（図６〜８参照）から前方側（図９参照）に向けて図示水平方向に一列に配置されている電気配線整理用具」を、図１２に示すような外側ケース６内に収容するようにしている。
【００３２】
図１３は、このようにして、前記電気配線整理用具を外側ケース６内に収容した内部の状態を示している。なお、図１３中の符号５は、前記テーブルタップ部１中の一つのコンセントにプラグが差し込まれ、このプラグにコード５ａで接続された補助テーブルタップである（図１も参照）。また図１４はこのようにして前記電気配線整理用具を収容した外側ケース６に蓋部６ａが装着された後の外観を示す斜視図である。前記外側ケース６には、複数の挿通孔が形成されているので、テーブルタップ部１のコード１ａや他の電気機器（パソコン、プリンタ、スキャナなど）の配線コードなどは、前記各挿通孔を介して、前記外側ケース６内の支持台４ｂ上の各ソケット２ｂと接続されている。
【００３３】
以上説明したように、本実施形態においては、テーブルタップ部１の各コンセントに複数の延長コード部２の各プラグ２ａが差し込まれ、前記複数の延長コード部２の各ソケット２ｂを、前記各延長コード部２の各ソケット２ｂが略一列（横一列）に並ぶように、前記各延長コード部２の各ソケット２ｂが前記一列の方向に移動（スライド）可能であるように、且つ前記各延長コード部２の各ソケット２ｂが各ソケット２ｂの差し込み方向と平行な方向を軸方向として回動可能であるように、前記支持ケース部４により支持するようにしている。したがって、本実施形態では、前記支持ケース部４に支持された前記複数の延長コード部２の各ソケット２ｂを、それぞれ、一列方向（横方向）にスライドさせたり、差込方向を軸方向として回動させたりすることが容易にできるようになる。よって、本実施形態によるときは、複数の幅広のＡＣアダプタ１１を前記複数の延長コード部２の各ソケット２ｂに差し込む場合でも、前記各ＡＣアダプタ１１の形状に合わせて、前記複数の延長コード部２の各ソケット２ｂを前述のようにスライドさせたり回動させたりすることができる。よって、本実施形態によれば、「複数のＡＣアダプタを１つのテーブルタップに差し込む場合にはテーブルタップ中に互いに隣り合うように設けられた複数の各コンセントの多くが使えなくなってしまう、という従来技術の不都合」を、有効に回避することができる。
【００３４】
また、本実施形態においては、市販のテープタップによって構成可能なテーブルタップ部１と、市販の延長コードによって構成可能な複数の延長コード部２と、前記載置部４ｅ及び支持台４ｂなどの簡単な構造を有する支持ケース部４（例えばプラスチックなどでの一体成形などが容易な支持ケース部）という単純な構造により構成されているので、電気配線整理用具の全体を、簡単な構成として極めて低コストに製造することができる。
【００３５】
また、本実施形態においては、前記支持ケース部４に、前記支持台４ｂ上に配置された前記各ソケット２ｂをそれらの上方から抑える抑え板４ｄを備えるようにしたので、前記各ソケット２ｂを、それらが上方向にバラバラに位置してしまうことを防止し、それらを前記略一列方向に整然と並ぶように配置させることができる。
【００３６】
また、本実施形態においては、前記支持ケース部４の支持台４ｂを、前記複数の延長コード部２の各ソケット２ｂがそれぞれ各ソケット２ｂの差し込み方向と平行な方向に移動可能に支持するように構成したので、前記各ソケット２ｂに差し込む各ＡＣアダプタ１１の形状などに応じて前記各ソケット２ｂの移動（スライド）及び回動を行うための動作を、よりスムーズに行うことができる。
【００３７】
また、本実施形態においては、前記支持ケース部４の支持台４ｂの背面側に、前記複数の延長コード部２の各コードを係止する係止部３を備えるようにしたので、前記延長コード部２の各コードがバラバラに配置されることを防止し、前記各コードを整然と配置することができる。
【００３８】
さらに、本実施形態において、前記テーブルタップ部１、前記各延長コード部２、及び前記支持ケース部４を１つの外側ケース６内に収容するようにしたときは、前記複数の延長コード部２及びテーブルタップ部１などを前記外側ケース６の中に集めて外部から遮断することができるので、前記複数の延長コード部２及びテーブルタップ部１に埃が溜まったり電気配線が絡み合って室内の外観を害してしまうことを防止することができる。
【００３９】
以上、本発明の実施形態について説明したが、本発明は前記実施形態として述べたものに限定されるものではなく、様々な修正及び変更が可能である。例えば、前記実施形態においては、前記のテーブルタップ部１、延長コード部２、係止部３、及び支持ケース部４から成る電気配線整理用具を外側ケース６内に収容するようにしたが、本発明においては、前記外側ケース６内に収容しない状態で使用してもよいことはもちろんである。
【符号の説明】
【００４０】
１    テーブルタップ部
１ａ  配線コード
２    延長コード部
２ａ  プラグ
２ｂ  ソケット
３    係止部
４    支持ケース部
４ａ  支持ケース部の本体
４ｂ  支持台
４ｃ  開口部
４ｄ  抑え板
４ｅ  載置部
５    補助テーブルタップ
５ａ  コード
６    外側ケース
６ａ  蓋部
１１  アダプタ
【図１】
0006346876.tif 000002
【図２】
0006346876.tif 000003
【図３】
0006346876.tif 000004
【図４】
0006346876.tif 000005
【図５】
0006346876.tif 000006
【図６】
0006346876.tif 000007
【図７】
0006346876.tif 000008
【図８】
0006346876.tif 000009
【図９】
0006346876.tif 000010
【図１０】
0006346876.tif 000011
【図１１】
0006346876.tif 000012
【図１２】
0006346876.tif 000013
【図１３】
0006346876.tif 000014
【図１４】
0006346876.tif 000015
【図１５】
0006346876.tif 000016